(57)【要約】【課題】従来の光回折構造による隠しパターン技術では、罫線などの一部にマイクロ文字などの隠しパターンが組み込まれており、マイクロ文字が２５０〜３００μｍと大きいために、見る角度によって隠しパターンが微かに判別されてしまうという課題があった。【解決手段】光回折構造で構成される複数のパターン集団において、それぞれのパターン集団は、少なくとも、数字，文字，記号及び図柄の何れか一つを含む微細パターンを含み、前記微細パターンは、それぞれの高さが１００μｍ以下である光回折構造による隠しパターンを提供する。【選択図】  図１
2006308723.tif 000002
【特許請求の範囲】
【請求項１】
光回折構造で構成される複数のパターン集団において、
それぞれのパターン集団は、少なくとも、数字，文字，記号及び図柄の何れか一つを含む微細パターンを含み、前記微細パターンは、それぞれの高さが１００μｍ以下であることを特徴とする光回折構造による隠しパターン。
【請求項２】
請求項１に記載の光回折構造による隠しパターンにおいて、
微細パターンとその周辺部は、ピッチ及び回折角度の、少なくともいずれかが異なるか、何れか一方に回折格子が形成されていないことを特徴とする光回折構造による隠しパターン。
【請求項３】
請求項１〜２何れかに記載の光回折構造による隠しパターンにおいて、微細パターンの中に単語を構成する文字集団が含まれることを特徴とする光回折構造による隠しパターン。
【請求項４】
請求項１〜２何れかに記載の光回折構造による隠しパターンにおいて、微細パターンの中に数式が含まれることを特徴とする光回折構造による隠しパターン。
【請求項５】
請求項１〜２何れかに記載の光回折構造による隠しパターンにおいて、微細パターンの中にマークを含む図柄集団が含まれることを特徴とする光回折構造による隠しパターン。
【請求項６】
請求項３〜５に記載の光回折構造による隠しパターンにおいて、
文字集団、数式及び図柄集団は、複数に分割され、複数のパターンの中に分散されて組み込まれたことを特徴とする光回折構造による隠しパターン。
【発明の詳細な説明】
【技術分野】
【０００１】
本発明は、微細なパターンを有する光回折構造による隠しパターンに関する。
【背景技術】
【０００２】
近年、カラーコピー機による高額紙幣や商品券の偽造事件が頻発している。
そのために、紙幣，商品券，入場券，ギフト券，手形，小切手，カードなどにはデザインの一部にカラーコピー機のセンサーでは読み取ることができない小さな網点や細線を絵柄の中に組み込み、コピーされたものはその部分が白く抜けるようにしている。
また、印刷物のデザインの一部に光り輝く金属部分を設けることによりコピー品を判別する方法も実施されている。その結果、金属部分はコピー機の入射光を１００％反射するために、複写物は、金属部分を黒に再現する。
その他、透明な樹脂で複製した光回折構造体の凹凸面に半透明な金属蒸着処理を行い、印刷物の一部に熱転写し、複写機によるコピーを牽制する技術が開示されている。
【０００３】
光回折構造体は、高度な製造技術を必要とするために、金券類の偽造防止手段としてしばしば使用される。
しかし、周辺技術の高度化によって、本物に近似の金属蒸着物が出現し、一般の利用者は一見して本物と偽者を区別し難くなってきた。
このような偽造品をチェックするために、光回折構造体の中に判別困難な隠しパターンを組み込んで真偽判別の手段として使用する技術が開示されている（例えば、特許文献１参照）。
前記特許文献１で開示されている技術は、光回折構造の中に目視では判読困難な高さ３００ミクロンの文字列を形成し、その部分をルーペ等で拡大して確認することで真正品であると判定するものである。
【０００４】
【特許文献１】実開平９−６６号公報
【発明の開示】
【発明が解決しようとする課題】
【０００５】
しかし、特許文献１で開示されている技術では、罫線などの一部にマイクロ文字などの隠しパターンが組み込まれており、マイクロ文字が２５０〜３００μｍと大きいために、見る角度によって隠しパターンが微かに判別されてしまうという課題があった。
そこで、本発明は、回折格子による微細文字列をさらに微細にし、かつ、その判別を困難にした光回折構造による隠しパターンを提供することを目的とする。
【課題を解決するための手段】
【０００６】
前記課題の目的を達成するために、本発明の光回折構造による隠しパターンの請求項１に記載の発明は、光回折構造で構成される複数のパターン集団において、それぞれのパターン集団は、少なくとも、数字，文字，記号及び図柄の何れか一つを含む微細パターンを含み、前記微細パターンは、それぞれの高さが１００μｍ以下であることを特徴とするものである。
【０００７】
また、請求項２に記載の発明は、請求項１に記載の発明において、微細パターンとその周辺部は、ピッチ及び回折角度のいずれかが異なるか、何れか一方に回折格子が形成されていないことを特徴とするものである。
【０００８】
また、請求項３に記載の発明は、請求項１〜２何れかに記載の発明において、微細パターンの中に単語を構成する文字集団が含まれることを特徴とするものである。
【０００９】
また、請求項４に記載の発明は、請求項１〜２何れかに記載の発明において、微細パターンの中に数式が含まれることを特徴とするものである。
【００１０】
また、請求項５に記載の発明は、請求項１〜２何れかに記載の発明において、微細パターンの中にマークを含む図柄集団が含まれることを特徴とするものである。
【００１１】
また、請求項６に記載の発明は、請求項３〜５に記載の発明において、文字集団、数式及び図柄集団は複数に分割され、複数のパターンの中に分散されて組み込まれたことを特徴とするものである。
【発明の効果】
【００１２】
１）請求項１に記載のように、光回折構造で構成される複数のパターン集団において、それぞれのパターン集団は、少なくとも、数字，文字，記号及び図柄の何れか一つを含む微細パターンを含み、前記微細パターンは、それぞれの高さが１００μｍ以下であることによって、目視ではその所在を特定することが困難で、したがって、その複製も困難となり偽造対策として有効である。
２）また、請求項２に記載のように、請求項１に記載の発明において、微細パターンとその周辺部は、ピッチ及び回折角度の、少なくともいずれかが異なるか、何れか一方に回折格子が形成されていないことによって、微細パターンの判別が肉眼では不可能であるが、ルーペ等で拡大して適切な光を当てて視認した場合は、その回折状態の差によって、パターンとして認識できる。
３）請求項３〜５及び６に記載のように、請求項１〜２何れかに記載の発明において、微細パターンの中に文字集団、数式及び図柄集団を含み、文字集団、数式及び図柄集団は複数に分割され、複数のパターンの中に分散されて組み込まれたことによって、個々の分割された文字集団、数式及び図柄集団は判別が困難な上に、微細パターンを高さ１００μｍ以下とすることによって偽造しようとする者は、複数の要素を全て判別し、その全てを偽造することが必要なため、高度な技術と多大な労力を必要とし、偽造に対して極めて大きな牽制効果を発揮する。
【発明を実施するための最良の形態】
【００１３】
以下、図面を参照して、本発明の光回折構造による隠しパターンについて説明する。
図１は、本発明の光回折構造による隠しパターンについて説明するための図，図２は、隠しパターンの基本的な考え方について説明するための図，図３は、本発明の隠しパターンについて説明するための図，図４は、隠しパターン各部の回折格子の組み合わせの一例について説明するための図，図５は、微細パターンの一例について説明するための図，図６は、微細パターンの他の一例について説明するための図，である。
【００１４】
図１を参照して、本発明の光回折構造による隠しパターンについて説明する。
光回折構造による４本の波線で構成されたパターンＡ１１と光回折構造による円形のパターンＢ１２が、パターンＡ１１の中央部で重なった状態で組み合わせパターン１が形成されている。
パターンＡ１１を構成している波線は、最下部が最も太く、上部に行くに従って細くなっている。
パターンＡ１１の最も細い波線１１１だけが、パターンＢ１２の前面を横切る状態で形成されおり、この部分が組み合わせパターン１の隠しパターンになっている。
パターンＡ１１の最も細い波線１１１を構成する回折格子は、パターンＢ１２と一体に見えるように角度またはピッチが選択される。
組み合わせパターン１は、極めて薄い樹脂皮膜としてベースフィルム上に形成され、接着剤を伴って印刷物などに熱転写されるか、ベースフィルム上に形成されたまま所定の大きさに打ち抜かれ、ラベルとして印刷物や商品に貼付される。
【００１５】
図２を参照して、隠しパターンの基本的な考え方について説明する。
光回折構造による矩形の第二のパターン３の中に、同じく光回折構造による隠しパターンである円形の第一のパターン２が内包される状態で組み込まれる。
図２に示すように、第二のパターン３は、例えば、ドットの回折角度が１３５度の回折格子３１で構成され、第一のパターン２は、例えば、ドットの回折角度が４５度の回折格子２１で構成される。
逆に、第一のパターン２と第二のパターン３の回折格子の回折角度を同一にして、第一のパターン２のドットのピッチを１μｍに，第二のパターン３のドットのピッチを２μｍとするなど、異なる設定にすることもできるし、同一に設定することもできる。
【００１６】
図３，図４を参照してパターンＡとパターンＢによる隠しパターンについて説明する。
図３のｂ，ｃ図は、ａ図に示すパターンＢ１２から隠しパターンが形成されているパターンＢの一部１２０を切り取って拡大した図である。
パターンＢの一部１２０の中央部分に、パターンＡの最も細い波線１１１が形成されている。パターンＡの最も細い波線１１１の内側には、最大１００μｍの高さの微細パターン１１１２が形成され、波線の内側で微細パターンの周辺部１１１１も光回折構造になっている。
【００１７】
ｂ図を参照して光回折構造による隠しパターンの一例について説明する。
パターンＢの一部１２０として形成された回折格子１２０１の中に、パターンＡの最も細い波線１１１が形成され、パターンＡの最も細い波線１１１の中に微細パターン１１１２が組み込まれている。
微細パターン１１１２は、ｂ図の例では数式になっており、それぞれの数字の高さは１００μｍ以下に調整されている。パターンＡの最も細い波線１１１の内側、及び、微細パターン１１１２は、光回折構造になっており、パターンＢの一部１２０の内側は、全体が均一な無地の状態に見える。ｂ図に示す例は、図２で説明した回折角度の異なるパターン同士を組み合わせた例である。
微細パターン１１１２の回折格子は、回折角度が０度で形成され、微細パターンの周辺部１１１１の回折格子は、回折角度が９０度で形成されている。
さらにパターンＢの一部１２０として形成された回折格子は、回折角度が０度で形成されている。
このように、切り取られたパターンＢの一部１２０の内側は、ピッチが同一ピッチの回折格子が、回折角度を変えて形成された状態になっており、さらに、最も細い波線１１１の内側に形成された微細パターンが１００μｍ以下であるために微細パターンとその周辺部の境界が肉眼では判別できず、同一色に見える状態になっている。
【００１８】
ｃ図を参照して光回折構造による隠しパターンの他の一例について説明する。
パターンＢの一部１２０として形成された回折格子１２０２の中に、パターンＡの最も細い波線１１１が形成され、パターンＡの最も細い波線１１１の中に微細パターン１１１２が組み込まれている。微細パターン１１１２は、ｂ図の例と同様、数式になっておりそれぞれの数字の高さは１００μｍ以下に調整されている。
ｃ図に示す例は、ピッチの異なる回折格子同士を組み合わせた例である。
微細パターン１１１２、及び、微細パターンの周辺部１１１１は回折角度が同一で、いずれも０度で形成されている。
パターンＢの一部１２０として形成された回折格子は、回折角度が１３５度の角度で形成され、ピッチも微細パターンや微細パターンの周辺部とは異なっている。
このように、切り取られたパターンＢの一部１２０の内側は、同一角度の回折格子がピッチを変えて形成された状態になっている。
従って、ｃ図の例は、パターンＢの内側にパターンＡの最も細い波線が横切っていることは判別できるが最も細い波線１１１の内側に形成された微細パターンが１００μｍ以下であるために微細パターンとその周辺部の境界が肉眼では判別できず、波線の内側に微細パターンが形成されていることは判別できない。
ｃ図に示す例では、組み合わせパターンを、パターンＡを構成する４本の波線を全てパターンＢの前面に置く構成にすることもできる。
【００１９】
ｂ，ｃ図において、微細パターンの周辺部を、回折格子を形成しないブランク状態にしても、微細パターンが１００μｍ以下であるために最も細い波線の部分に微細パターンが形成されていることを判別することは難しい。
【００２０】
図５を参照して、微細パターンの一例について説明する。
前述の微細パターンの例は数式であったがそのほかにもｄ図に示すように番地を示すひらがなの文字列でもよいし、ｅ図に示すような大文字による単語でもよい。
ｄ，ｅ図のような例では、回折格子が使用される前述の紙幣，商品券，入場券，ギフト券などの印刷物に使用されている「漢字」や、「デザイン文字」を引用した表現になっているとより効果的である。
その他に、ｆ図に示すようにアルファベットや数字，記号を組み合わせた数式や、ｇ図に示すような図柄による絵文字であってもよい。
【００２１】
図６を参照して、微細パターンの他の一例について説明する。
図６に示す例は、微細パターンで使用する「意味ある文字列」を分解して使用する例である。例えば、ｈ図に示す「安全」を意味する「ｓｅｃｕｒｉｔｙ」という単語を「ｓｅｃ」と「ｕｒｉｔｙ」の２つに分解し、ｉ図に示すように「ａｂｃｄ」＋［ｓｅｃ］の集団と、ｊ図に示すように「ｅｆｇ」＋［ｕｒｉｔｙ］の集団に分けて並べることによってさらに判別を難しくすることもできる。この文字列は，１００μｍ以下と非常に微細なため、製造者と関係者以外はその存在自体が判らない。
このような「意味ある文字列」が複数配置された場合は、一部関係者を含む製造者以外は組み込まれた文字列をすべて特定し、判別することは極めて困難で、偽造しようとする者に対する抑止効果は絶大である。
仮に偽造されたとしても、偽造品を容易に特定することができる。
【００２２】
（実施例）
薄く金属を蒸着したガラス板に直径１μｍの電子ビームを照射してピッチ１μｍで、４μｍ×８μｍのドットにより回折構造を形成した。
パターンＡ，パターンＢ、及び、９０μｍの文字高さで微細パターンのマスクを作製し、それぞれ所定の位置に、微細パターンとパターンＢは０度の回折角度で、パターンＡの最も細い波線の内側で微細パターンの周辺部は９０度の回折角度でパターンを形成した。
隠しパターンである微細パターンは目視で確認することはできなかった。
【産業上の利用可能性】
【００２３】
衣類、アクセサリ、鞄などの高額商品の証明書、保証書などに貼付して利用される。
【図面の簡単な説明】
【００２４】
【図１】本発明の光回折構造による隠しパターンについて説明するための図である。
【図２】隠しパターンの基本的な考え方について説明するための図である。
【図３】本発明の隠しパターンについて説明するための図である。
【図４】隠しパターン各部の回折格子の組み合わせの一例について説明するための図である。
【図５】微細パターンの一例について説明するための図である。
【図６】微細パターンの他の一例について説明するための図である。
【符号の説明】
【００２５】
１      組み合わせパターン
２      第一のパターン
３      第二のパターン
１１    パターンＡ
１２    パターンＢ
２１，３１  回折格子
１１１  パターンＡの最も細い波線
１２０  パターンＢの一部
１１１１  微細パターンの周辺部
１１１２  微細パターン
１２０１，１２０２  パターンＢの一部１２０として形成された回折格子
【図１】
2006308723.tif 000003
【図２】
2006308723.tif 000004
【図３】
2006308723.tif 000005
【図４】
2006308723.tif 000006
【図５】
2006308723.tif 000007
【図６】
2006308723.tif 000008